(57)【要約】      （修正有）【課題】取扱い易く、また、充電式バッテリーの取付けと使用を可能にすることで、使用済み電池の廃棄による資源の浪費と、環境汚染を減少させることができる透過型静脈血管可視化ランプを提供する。【解決手段】ケースと、ケース上部の透光孔に設けるレンズ６と、ケース内部に設ける基板８と、ＬＥＤランプと、電源とを有する透過型静脈血管可視化ランプであって、透過型静脈血管可視化ランプは固定架台を有し、固定架台は底板と、支柱と、位置決め溝と、固定板とを有しすることを特徴とする。取手１０は空胴体であり、空胴体の内部は充電バッテリー３を取り付けるバッテリーボックスであり、充電バッテリー３はバッテリーボックス内に設置する。【選択図】図１
0003184998.tif 000002
【実用新案登録請求の範囲】
【請求項１】
ケースと、ケース上部の透光孔に設けるレンズと、ケース内部に設ける基板と、電源と、ＬＥＤランプを有する透過型静脈血管可視化ランプであって、ケースは上ケースと下ケースから構成され、上ケースと下ケースとの本体周辺は円弧状であり、上ケースの天井は中心部付近が隆起した弧状であり、透光孔及びレンズは上ケースに設け、下ケースの後部に取手を接合し、下ケースの底平面と取手の中心軸との角度は鈍角であり、透過型静脈血管可視化ランプに固定架台を配置し、固定架台は底板と、底板の中部に設置した支柱、底板の一端に設けた取手の位置決め溝と、位置決め溝周辺に支柱に対して傾斜した固定板とを有することを特徴とした透過型静脈血管可視化ランプ。
【請求項２】
取手は空胴体であり、空洞体の内部は充電バッテリーボックスであり、電源は充電バッテリーであり、充電バッテリーをバッテリーボックス内に設置し、バッテリーボックスカバーは取手の一部分として取手と嵌め合い、取手の底部に充電差込口を設け、充電差込口から電線を通して充電バッテリーに繋がることを特徴とした請求項１に記載の透過型静脈血管可視化ランプ。
【請求項３】
固定架台は充電式固定架台であり、充電式固定架台底板上の位置決め溝に充電差込口を設け、充電式固定架台底板後部に充電電源コード差込口を設け、充電式固定架台底板上の充電差込口と充電電源コード差込口は電線で繋がることを特徴とした請求項１或は請求項２に記載の透過型静脈血管可視化ランプ。
【請求項４】
底板に設けた支柱の先端と取手との接触部分は円滑な斜面であり、固定板は半円弧形であり、固定板の内側面は取手と整合することを特徴とした請求項１或は請求項２に記載の透過型静脈血管可視化ランプ。
【請求項５】
基板にスイッチを設置し、上ケースと下ケースとの後部内側を開口し、スイッチをその開口から露出することを特徴とした請求項１或いは請求項２に記載の透過型静脈血管可視化ランプ。
【請求項６】
基板にスイッチを設置し、下ケース体の取手部分の人差し指が接触する位置に開口を設け、スイッチをその開口から露出させることを特徴とした請求項１或は請求項２に記載の透過型静脈血管可視化ランプ。
【請求項７】
基板にスイッチを設置し、下ケース体の取手部分の人差し指が接触する位置に開口を設け、スイッチをその開口から露出させることを特徴とした請求項５に記載の透過型静脈血管可視化ランプ。
【請求項８】
充電電源コード差込口と電源コード差込口はすべてＵＳＢ接続口であり、充電差込口はＵＳＢ接続口と適合することを特徴とした請求項３に記載の透過型静脈血管可視化ランプ。
【請求項９】
充電電源コード差込口と電源コード差込口はすべてＵＳＢ接続口であり、充電差込口はＵＳＢ接続口と適合することを特徴とした請求項７に記載の透過型静脈血管可視化ランプ。
【請求項１０】
上ケース上面を薄く被膜し、被膜は分解可能な使い捨ての透明且つ抗菌膜であることを特徴とした請求項１或いは請求項９に記載の透過型静脈血管可視化ランプ。
【請求項１１】
、スイッチは調整スイッチであり、回路基板にはＬＥＤランプに繋ぐ光線調整回路を設け、電源は調整スイッチと光線調整制御回路を通してＬＥＤランプに供給することを特徴とした請求項６に記載の透過型静脈血管可視化ランプ。
【請求項１２】
スイッチは調整スイッチであり、回路基板にはＬＥＤランプに繋ぐ光線調整回路を設け、電源は調整スイッチと光線調整制御回路を通してＬＥＤランプに供給することを特徴とした請求項９に記載の透過型静脈血管可視化ランプ。
【請求項１３】
ケース上のＬＥＤの周囲にサーモスイッチを四つ設け、制御電気回路を通して各サーモスイッチの状態をリアルタイムに検測することを特徴とした請求項１２に記載の透過型静脈血管可視化ランプ。
【請求項１４】
光線調整の制御電気回路がデジタル制御式であり、デジタル変換機、圧力調整光線調整電気回路、デジタル模擬変換機の入力数値量を有し、ＬＥＤランプの明るさを表示する数値量は時間単位内で最小値から最大値まで少しずつ増加し、該当時間単位は１秒から２秒であることを特徴とした請求項１３に記載の透過型静脈血管可視化ランプ。
【考案の詳細な説明】
【技術分野】
【０００１】
本考案は手術静脈血管照明設備に属し、具体的には、透過型静脈血管可視化ランプである。
【背景技術】
【０００２】
現在、静脈注射や手術中に静脈血管を診る際は、直接目で見る方式が採用されている。しかし、手の裏側等の人体の部位によっては血管が目立たない箇所も多く、正確に血管を発見することは難い。このため、静脈注射は失敗する場合が多くあり、不必要な肉体的苦痛を患者に与える場合もある。また、一部の患者においては、種々の原因により静脈血管がはっきりと見えないため、注射が困難であるため治療時間が長くなる。
【０００３】
現在、幼児への使用に適している静脈血管可視化ランプもある。このようなランプは、使用時はＬＥＤランプを手のひらから手の甲に向けて照射することで血管を明るく照らし、素早く正確に注射を行えるようにする。
【０００４】
例えば、「一種穿刺用血管照明器」（実用新案登録２００６２０１０４１８５．１号）、「幼児静脈血管観察ランプ」（実用新案登録２０１１２０４３６１１３．８号）は、ケース、ケース上部の透光孔に設ける凹凸レンズ、ケース内部に設ける基板、電源とＬＥＤランプを有する装置である。ケースは上ケースと下ケースから構成され、上ケースと下ケースの本体周辺は全部円弧状であり、上ケースの天井は中心が隆起した弧状であり、透光孔及びレンズは上ケースに設置し、下ケースの後部に取手を接合し、下ケースの底平面と取手の中心軸との角度は鈍角になっている。電源のバッテリーボックスは取手の空胴体内に設置され、取手にボックスカバー取り付けブロックを設け、バッテリーボックスカバーは取手の一部分としてボックスカバーに取り付けブロックを介して嵌め合う。
【０００５】
医療従事者は、現有の静脈血管観察ランプを使用する際は、自ら静脈を観察すると同時に注射の作業を行うため、操作が難しく取扱いが不便である。また、前記幼児静脈血管観察ランプの電池ボックス内に取付けられる電源が普通の電池であるため、電池の寿命が短く、資源の浪費と環境汚染を招いている。
【先行技術文献】
【特許文献】
【０００６】
【特許文献１】中華人民共和国実用新案登録２００６２０１０４１８５．１号
【特許文献２】中華人民共和国実用新案登録２０１１２０４３６１１３．８号
【考案の概要】
【考案が解決しようとする課題】
【０００７】
本考案は、静脈血管照明ランプを改善して取扱い易くすると共に、充電式バッテリーの取付けと使用を可能にすることで、使用済み電池の廃棄による資源の浪費と、環境汚染を減少させることである。
【課題を解決するための手段】
【０００８】
請求項１に記載の考案は、ケースと、ケース上部の透光孔に設けるレンズと、ケース内部に設ける基板と、電源と、ＬＥＤランプを有する透過型静脈血管可視化ランプであって、ケースは上ケースと下ケースから構成され、上ケースと下ケースとの本体周辺は円弧状であり、上ケースの天井は中心部付近が隆起した弧状であり、透光孔及びレンズは上ケースに設け、下ケースの後部に取手を接合し、下ケースの底平面と取手の中心軸との角度は鈍角であり、透過型静脈血管可視化ランプに固定架台を配置し、固定架台は底板と、底板の中部に設置した支柱、底板の一端に設けた取手の位置決め溝と、位置決め溝周辺に支柱に対して傾斜した固定板とを有することを特徴とした透過型静脈血管可視化ランプ。
【０００９】
請求項２に記載の考案は、取手は空胴体であり、空洞体の内部は充電バッテリーボックスであり、電源は充電バッテリーであり、充電バッテリーをバッテリーボックス内に設置し、バッテリーボックスカバーは取手の一部分として取手と嵌め合い、取手の底部に充電差込口を設け、充電差込口から電線を通して充電バッテリーに繋がることを特徴とした請求項１に記載の透過型静脈血管可視化ランプ。
【００１０】
請求項３に記載の考案は、固定架台は充電式固定架台であり、充電式固定架台底板上の位置決め溝に充電差込口を設け、充電式固定架台底板後部に充電電源コード差込口を設け、充電式固定架台底板上の充電差込口と充電電源コード差込口は電線で繋がることを特徴とした請求項１或は請求項２に記載の透過型静脈血管可視化ランプ。
【００１１】
請求項４に記載の考案は、底板に設けた支柱の先端と取手との接触部分は円滑な斜面であり、固定板は半円弧形であり、固定板の内側面は取手と整合することを特徴とした請求項１或は請求項２に記載の透過型静脈血管可視化ランプ。
【００１２】
請求項５に記載の考案は、基板にスイッチを設置し、上ケースと下ケースとの後部内側を開口し、スイッチをその開口から露出することを特徴とした請求項１或いは請求項２に記載の透過型静脈血管可視化ランプ。
【００１３】
請求項６に記載の考案は、基板にスイッチを設置し、下ケース体の取手部分の人差し指が接触する位置に開口を設け、スイッチをその開口から露出させることを特徴とした請求項１或は請求項２に記載の透過型静脈血管可視化ランプ。
【００１４】
請求項７に記載の考案は、基板にスイッチを設置し、下ケース体の取手部分の人差し指が接触する位置に開口を設け、スイッチをその開口から露出させることを特徴とした請求項５に記載の透過型静脈血管可視化ランプ。
【００１５】
請求項８に記載の考案は、充電電源コード差込口と電源コード差込口はすべてＵＳＢ接続口であり、充電差込口はＵＳＢ接続口と適合することを特徴とした請求項３に記載の透過型静脈血管可視化ランプ。
【００１６】
請求項９に記載の考案は、充電電源コード差込口と電源コード差込口はすべてＵＳＢ接続口であり、充電差込口はＵＳＢ接続口と適合することを特徴とした請求項７に記載の透過型静脈血管可視化ランプ。
【００１７】
請求項１０に記載の考案は、上ケース上面を薄く被膜し、被膜は分解可能な使い捨ての透明且つ抗菌膜であることを特徴とした請求項１或いは請求項９に記載の透過型静脈血管可視化ランプ。
【００１８】
請求項１１に記載の考案は、スイッチは調整スイッチであり、回路基板にはＬＥＤランプに繋ぐ光線調整回路を設け、電源は調整スイッチと光線調整制御回路を通してＬＥＤランプに供給することを特徴とした請求項６に記載の透過型静脈血管可視化ランプ。
【００１９】
請求項１２に記載の考案は、スイッチは調整スイッチであり、回路基板にはＬＥＤランプに繋ぐ光線調整回路を設け、電源は調整スイッチと光線調整制御回路を通してＬＥＤランプに供給することを特徴とした請求項９に記載の透過型静脈血管可視化ランプ。
【００２０】
請求項１３に記載の考案は、ケース上のＬＥＤの周囲にサーモスイッチを四つ設け、制御電気回路を通して各サーモスイッチの状態をリアルタイムに検測することを特徴とした請求項１２に記載の透過型静脈血管可視化ランプ。
【００２１】
請求項１４に記載の考案は、光線調整の制御電気回路がデジタル制御式であり、デジタル変換機、圧力調整光線調整電気回路、デジタル模擬変換機の入力数値量を有し、ＬＥＤランプの明るさを表示する数値量は時間単位内で最小値から最大値まで少しずつ増加し、該当時間単位は１秒から２秒であることを特徴とした請求項１３に記載の透過型静脈血管可視化ランプ。
【考案の効果】
【００２２】
本考案に係る透過型静脈血管可視化ランプは固定架台を有し、固定架台の底板の中間に支柱を設け、一端には取手を固定する位置決溝を設け、位置決溝周辺に支柱に向う固定用斜板を設けたことで、取手下部を位置決め溝に差し込んで、取手を位置決め溝の周辺の固定板に位置させることで、支柱により取手の中央を支えることができるため、透過型静脈血管可視化ランプを安定して固定できる。そのため、医療従事者は単独で、透過型静脈血管可視化ランプの操作と静脈の観察と注射の作業を行うことができる。
【００２３】
本考案に係る透過型静脈血管可視化ランプの取手は空胴体であって、空胴体の内部は充電バッテリーボックスであり、電源は充電バッテリーを用いるため、充電バッテリーの使用時間が長く、資源の浪費と環境汚染を減少させることができる。
【００２４】
本考案に係る透過型静脈血管可視化ランプの固定架台は充電式固定架台であり、充電式固定架台底板上に設けられた位置決め溝内に充電差込口を設け、充電式固定架台底板後部に充電電源コード差込口を設け、充電差込口と充電電源コード差込口とを電線で接続する。また、透過型静脈血管可視化ランプの取手底部の充電差込口に充電電源コードを差込んで充電することもできる。そのため、充電式固定架台は二つの役目を果たし、コスト低減もでき便利である。
【００２５】
本考案に係る透過型静脈血管可視化ランプは、構造的に簡単であるため製造が容易であり、普及と応用に便利である。
【００２６】
本考案に係る透過型静脈血管可視化ランプは、上ケース５の上面であって患者の手が触れる箇所を薄い皮膜で覆う。皮膜は使い捨てのため複数の者が使用する場合に感染症の拡大を防止できる。
【００２７】
本考案に係る透過型静脈血管可視化ランプは、基板に調整スイッチが設けられているため、実際の状況によりＬＥＤランプの明るさを調整でき取扱いが便利である。
【００２８】
本考案に係る透過型静脈血管可視化ランプは、上ケース５に設けられたＬＥＤランプの周囲にサーモスイッチを設け、制御電気回路を通して各サーモスイッチの状態をリアルタイムに検測しているため、患者の手がケース５に接触した際にＬＥＤランプを点灯することができる。
【００２９】
本考案に係る透過型静脈血管可視化ランプは、光線調整の制御電気回路はデジタル制御式であるため、サーモスイッチに患者の手が接触した後に光線調整制御電気回路が動作し、１秒から２秒でデジタル模擬変換機の入力数値量はゼロから徐々に増加し、デジタル模擬変換機の出力の電圧値も徐々に大きくなり、ＬＥＤランプの明るさは１秒から２秒で徐々に強くなる。
【図面の簡単な説明】
【００３０】
【図１】本考案の透過型静脈血管可視化ランプの組立図である。
【図２】本考案の充電式固定架台の立体図である。
【図３】図２の平面図である。
【図４】本考案の透過型静脈血管可視化ランプが充電式固定架台に設置された正面図である。
【符号の説明】
【００３１】
１    充電モジュール
２    カバー
３    充電バッテリー
４    スイッチモジュール
５    上ケース
６    レンズ
７    集光カバー
８    回路基盤
９    下ケース
１０  取手
１１  固定板
１２  支柱
１３  底板
１４  充電電源コード
【考案を実施するための形態】
【００３２】
本考案の透過型静脈血管可視化ランプは、ケースと、ケース上部透光孔上のレンズ６と、集光カバー７と、ケース内のＬＥＤランプと、回路基板８と、電源を有している。
【００３３】
透過型静脈血管可視化ランプは固定架台を有し、固定架台は底板１３と、底板１３の中央に設けられた支柱１２を有する。底板１３には透過型静脈血管可視化ランプの取手１０を固定する位置決め溝を設け、位置決め溝の周辺に支柱１２に対して傾斜した固定板１１設け、支柱１２の先端と取手１０との接触部分は円滑な斜面である。固定板１１は半円弧形であり、固定板１１の内側面は取手１０の形状とほぼ一致する。
【００３４】
本考案の透過型静脈血管可視化ランプのケースは、上ケース５と、下ケース９から構成され、上ケース５と下ケース９の本体周辺は円弧状である。上ケース５の中心部付近は隆起した弧状であり、上ケース５には透光孔とレンズ６を設ける。レンズ６には集光カバー７を設け、レンズ６は凸起構造である。下ケース９にはＬＥＤランプの基板８を設け、下ケース９の後部に取手１０を設け、下ケース９の底平面と取手１０の中心軸との角度は鈍角であって、角度範囲は１００度から１５０度である。
【００３５】
透過型静脈血管可視化ランプの取手１０は空胴体であり、空胴体の内部は充電バッテリー３を付取り付けるバッテリーボックスであり、充電バッテリー３はバッテリーボックス内に設置する。バッテリーボックスのカバー２は取手１０の一部分として取手１０に嵌め合う。取手１０の底部には充電モジュール１を設け、充電モジュール１は充電差込口と基板を有し、充電差込口は取手１０の底面に設け、電線によって充電差込口から基板を介して充電バッテリーに接続する。なお、バッテリーボックスを普通の電池ボックスとしてもよい。
【００３６】
取手１０には指の形状に合う溝を設けて使用時に持ち易くする。
【００３７】
電気基板８にはスイッチモジュール４を設け、手取１０の人差し指が接触する位置に開口を設け、スイッチモジュール４を開口から露出する。
【００３８】
本考案の固定架台は充電式固定架台であり、充電式固定架台底板１３の位置決め溝内に充電差込口を設け、後部に充電電源コード差込口を設け、充電差込口と充電電源コード差込口と電線で接続する。また、別に充電電源コード１４を設ける。
【００３９】
充電する際は、透過型静脈血管可視化ランプを充電式固定架台１３の位置決め溝に配置し、位置決め溝内の充電差込口に取手１０の底部の充電電源コード差込口を差し込んで充電バッテリー３を充電する。充電電源コード１４の先端を充電式固定架台底板１３の後部の充電電源コード差込口に挿入し、もう一方の先端を普通の電源コネクタに挿入する。充電式固定架台１３で透過型静脈血管可視化ランプを充電しない場合は、充電電源コード１４の一端を直接に透過型静脈血管可視化ランプの取手１０の底部の充電差込口に差し込み、一方の先端を普通の電源コネクタに挿入する。
【００４０】
充電電源コード１４の一端と、充電電源コード差込口と、充電式固定架台底板１３の位置決め溝内に設けた充電差込口と、取手１０に設けた充電差込口はＵＳＢ接続口であり、充電電源コード１４の一端は、充電電源コード差込口と取手１０の充電差込口と適合する。
【００４１】
本考案は、上ケース５の上面であって患者の手が触れる箇所を薄い皮膜で覆い、被膜は使い捨て且つ分解性のある透明の抗菌膜である。被膜の上ケース５の上面の形状と一致し、上ケース５よりもやや大きく、優れた透光性を有している。皮膜は一度使用したら取り替えるのが好ましい。
【００４２】
本考案に使用するスイッチモジュール４は調整スイッチであり、回路基板にはＬＥＤランプ４と接続する光線調整回路を設け、電力は調整スイッチと光線調整制御回路を通してＬＥＤランプに供給する。
【００４３】
光線調整制御回路は調整可能な抵抗であり、電力は調整スイッチと光線調整制御回路を通して、ＬＥＤランプに電力が供給し、ＬＥＤランプの明るさの調整は無段階である。一方、光線調整制御回路を三つの抵抗値相違の並列抵抗として、調整スイッチと光線調整制御回路を通して、ＬＥＤランプの明るさ調整を３段階としてもよい。
【００４４】
ＬＥＤランプの明るさは、調整スイッチと光線調整制御回路を通して制御するため、患者の手の形や手の厚さに応じてＬＥＤランプ明るさを調整することが可能であり、血管をはっきりと観察することができる。
【００４５】
上ケース５の上のＬＥＤの周囲に幾つかのサーモスイッチを設け、制御電気回路を通して各サーモスイッチの状態をリアルタイムに検測し、患者の手がケース５の上面と接触した場合にＬＥＤランプが点灯する。
【００４６】
本考案の光線調整の制御電気回路はデジタル制御式であり、デジタル模擬変換機、圧力調整光線調整電気回路、デジタル模擬変換機の入力数値量を有する。ＬＥＤランプの明るさを表示する数値量は時間単位内で最小値から最大値まで少しずつ増加し、該当時間単位は１秒から２秒である。これにより、サーモスイッチに患者の手が接触した後に光線調整制御電気回路が動作し、１秒から２秒でデジタル模擬変換機の入力数値量はゼロから徐々に増加し、デジタル模擬変換機の出力の電圧値も徐々に大きくなり、ＬＥＤランプの明るさは１秒から２秒で徐々に強くなる。
【００４７】
本考案に係る透過型静脈血管可視化ランプを使用する際は、使用の妨げにならないように照明を消すのが好ましい。または、できるだけ低照度且つ非蛍光の側面ライトを使用するのが好ましい。本考案に係る透過型静脈血管可視化ランプの使用方法は、患者の手のひらから手の甲に向けてＬＥＤランプ照射する。これにより、ＬＥＤランプにより血管は明るく照らされるため、医療従事者は、素早く正確に注射をすることができる。また、本考案に係る透過型静脈血管可視化ランプは、小型で精巧的な円弧形ケースであるため、使用時に移動するのが容易であり、幼児の手形にも適応する。本考案に係る透過型静脈血管可視化ランプは幼児の足裏、腿部などの静脈血管を照射することもできる。
【００４８】
また、医療従事者は、一人で透過型静脈血管可視化ランプの取手１０の下部を底板１３位置決め溝に差込んで固定板１１に配置させることができる。また、底板１３の支柱１２によって取手１０の中央を支持されため、透過型静脈血管可視化ランプを安定して固定できる。これにより、医療従事者は、透過型静脈血管可視化ランプを一人で使用して、静脈の観察や注射の作業を行うことができる。
【図１】
0003184998.tif 000003
【図２】
0003184998.tif 000004
【図３】
0003184998.tif 000005
【図４】
0003184998.tif 000006